(57)【要約】【課題】  トラス筋が効果的に配筋された経済的なプレキャストコンクリート板および中空スラブを提供することである。【解決手段】  プレキャストコンクリート板１は、小割の埋込材本体１１が適宜間隔をもって連結部１２で一体的に連結されてなる軽量埋込材ユニット４、５が、トラス筋２が配筋されたコンクリート板３の上面に設置され、該コンクリート板３における他のコンクリート板との接合部に沿って設置された前記軽量埋込材ユニット５が連結筋の敷設のために間引きして設置されたものである。【選択図】  図１
2006138166.tif 000002
【特許請求の範囲】
【請求項１】
小割の埋込材本体が適宜間隔をもって連結部で一体的に連結されてなる軽量埋込材ユニットが、トラス筋が配筋されたコンクリート板の上面に設置され、該コンクリート板における他のコンクリート板との接合部に沿って設置された前記軽量埋込材ユニットが連結筋の敷設のために間引きして設置されたことを特徴とするプレキャストコンクリート板。
【請求項２】
埋込材本体は半カプセル形状で、設置間隔が１５ｍｍ以上とってあることを特徴とする請求項１に記載のプレキャストコンクリート板。
【請求項３】
他のコンクリート板との接合部に沿って設置された軽量埋込材ユニットは、埋込材本体が２×２個、２×３個または２×４個のいずれかで形成され、これらが合成樹脂の一体発泡成型品であることを特徴とする請求項１または２に記載のプレキャストコンクリート板。
【請求項４】
他のコンクリート板との接合部に沿って設置された軽量埋込材ユニットの外側面にはトラス筋を配筋しないことを特徴とする請求項１〜３のいずれかに記載のプレキャストコンクリート板。
【請求項５】
請求項１〜請求項４のいずれかのプレキャストコンクリート板が梁間に連続的に設置され、隣接したプレキャストコンクリート板の接合部において軽量埋込材ユニットが間引きされた箇所にわたって補強筋が配筋され、これらのプレキャストコンクリート板上にトップコンクリートが打設されて構成されたことを特徴とする中空スラブ。
【発明の詳細な説明】
【技術分野】
【０００１】
本発明はプレキャストコンクリート板および中空スラブに関するものである。
【背景技術】
【０００２】
従来、中空スラブを構築するには、コンクリート板のトラス筋間に軽量埋込材ユニットが設置されたプレキャストコンクリート板が使用され、このプレキャストコンクリート板として、例えば特開平９−１５８３７９号公報の発明が知られている。
【特許文献１】特開平９−１５８３７９号公報
【発明の開示】
【発明が解決しようとする課題】
【０００３】
しかし、上記のようなプレキャストコンクリート板１７は、図４に示すように、軽量埋込材１９の基本サイズが４００×１２００ｍｍであり、これらを１５０ｍｍ以上の間隔２０で設置する必要があるため、プレキャストコンクリート板１７同士の下部接合筋の設置間隔が１３５０ｍｍ以上となってコンクリート板２１の端部にまでトラス筋１８を配筋して補強する必要があった。したがって、このプレキャストコンクリート板１７を隣接して設置すると、その接合部には近接して二本のトラス筋１８が配筋されることになって不経済的であった。
【０００４】
本発明は上記のような問題に鑑みてなされたものであり、その目的は、トラス筋が効果的に配筋された経済的なプレキャストコンクリート板および中空スラブを提供することである。
【課題を解決するための手段】
【０００５】
本願発明のプレキャストコンクリート板は、小割の埋込材本体が適宜間隔をもって連結部で一体的に連結されてなる軽量埋込材ユニットが、トラス筋が配筋されたコンクリート板の上面に設置され、該コンクリート板における他のコンクリート板との接合部に沿って設置された前記軽量埋込材ユニットが連結筋の敷設のために間引きして設置されたことを特徴とする。また埋込材本体は半カプセル形状で、設置間隔が１５ｍｍ以上とってあることを含む。また他のコンクリート板との接合部に沿って設置された軽量埋込材ユニットは埋込材本体が２×２個、２×３個または２×４個のいずれかで形成され、これらが合成樹脂の一体発泡成型品であることを含む。また他のコンクリート板との接合部に沿って設置された軽量埋込材ユニットの外側面にはトラス筋を配筋しないことを含むものである。
【０００６】
また小割の埋込材本体が適宜間隔をもって連結部で接続されてなる軽量埋込材ユニットが、トラス筋が配筋されたコンクリート板の上面に設置され、該コンクリート板における他のコンクリート板との接合部に沿って設置された前記軽量埋込材ユニットが連結筋の敷設のために間引きして設置されたプレキャストコンクリート板が梁間に連続的に設置され、隣接したプレキャストコンクリート板の接合部において軽量埋込材ユニットが間引きされた箇所にわたって補強筋が配筋され、これらのプレキャストコンクリート板の上にトップコンクリートが打設されて構成されたことを特徴とする中空スラブ。また埋込材本体は半カプセル形状で、設置間隔が１５ｍｍ以上とってあることを含む。また他のコンクリート板との接合部に沿って設置された軽量埋込材ユニットは埋込材本体が２×３個または２×４個で形成され、これらが合成樹脂の一体発泡成型品であることを含む。また他のコンクリート板との接合部に沿って設置された軽量埋込材ユニットの外側面にはトラス筋を配筋しないことを含むものである。
【発明の効果】
【０００７】
小割の埋込材本体が適宜間隔をもって連結部で接続されてなる軽量埋込材ユニットが、トラス筋が配筋されたコンクリート板の上面に設置されたことにより、軽量埋込材を１５ｍｍ以上の設置間隔とすることにより、埋込材間のリブ部分にコンクリートが十分に充填されることで曲げ応力、せん断応力の伝達を円滑にして強度を高めることができる。また軽量埋込材を半カプセル形とすることにより、軽量埋込材をスラブ筋まで伸ばすことができるので、スラブの中空率を高めることができる。また他のコンクリート板との接合部に沿って設置された軽量埋込材ユニットの外側面にはトラス筋を配筋しないことにより、トラス筋の本数を削減した経済的なプレキャストコンクリート板を提供することができる。
【０００８】
またコンクリート板における他のコンクリート板との接合部に沿って設置された前記軽量埋込材ユニットが連結筋の敷設のために間引きして設置され、これらにわたって補強筋が配筋されたことにより、プレキャストコンクリート板の直交方向のせん断応力や曲げ応力の伝達が円滑に行われる。
【発明を実施するための最良の形態】
【０００９】
以下、本発明のプレキャストコンクリート板（以下ＰＣａ板という）および中空スラブの実施の形態を図面に基づいて説明する。はじめに、プレキャストコンクリート板について説明し、その後に、これを利用した中空スラブについて説明するが、各実施の形態において同じ構成は同じ符号を付して説明し、異なった構成にのみ異なった符号を付して説明する。
【００１０】
図１は、ＰＣａ板１を示したものであり、このＰＣａ板１は、三本のトラス筋２が突出したコンクリート板３の上面に軽量埋込材ユニット４、５が設置されて構成されている。トラス筋２は一本の上端筋６と二本の下端筋７とが波形のラチス筋８で連結された三角トラスであり、最外部のトラス筋２がコンクリート板端部９から適宜離れた位置、すなわち軽量埋込材ユニット５が設置できる位置に配筋されている。したがって、この軽量埋込材ユニット５の外側面にはトラス筋２が配筋されていない。
【００１１】
このトラス筋２の間には、軽量埋込材ユニット４が隙間なく一面に設置され、最外部のトラス筋２とコンクリート板端部９との間には軽量埋込材ユニット４よりも小さな軽量埋込材ユニット５が間引き状に設置されて、補強筋の配筋用間隔部１０が形成されている。したがって、埋込材本体１１はコンクリート板３の中央部には多くかつ密に配設され、両側部には少なく粗に配設されているため、両側部には多くのトップコンクリートが打設されるようになっている。また、この軽量埋込材ユニット４は埋込材本体１１が適宜間隙部をもって形成されたことにより、この間隙部にもトップコンクリートが打設されるので、高い空隙部と大きな強度とを同時に達成することができる。
【００１２】
この軽量埋込材ユニット４、５は半カプセル形で中空の埋込材本体１１が連結部１２で１５ｍｍ以上の間隔をもって構成された合成樹脂の一体発泡成型品であり、大きな軽量埋込材ユニット４は３×４個の合計１２個で構成され、小さな軽量埋込材ユニット５は２×３個（または２×４個）の合計６個で構成されている。したがって、最外部のトラス筋２とコンクリート板端部９との間には小さな軽量埋込材ユニット５により、補強筋の配筋用間隔部１０が形成されているため、中央部よりもトップコンクリートが打設される面積が多くなっている。
【００１３】
また図２に示すように、埋込材本体１１の下面には埋設突起１３が突設され、これがコンクリート板３に埋設されて軽量埋込材ユニット４、５が上面に固着されている。
【００１４】
また図３は、梁間に隣接かつ連続的に設置したＰＣａ板１上にトップコンクリート１４を打設した中空スラブ１４である。梁間に設置したＰＣａ板１の接合部にはコンクリート板３との直交方向に配筋用間隔部１０が狭い間隔で形成され、ここに三本の補強筋１６が配筋されている。
【００１５】
また、この接合部にはトラス筋２が配筋されていない代わりに、補強筋１６が狭い間隔で配筋され（従来の図３の（２）の中空スラブと比べて）、且つ小割りの埋込材本体１１間にトップコンクリート１４のリブ部が多数形成されるので、大きなせん断強度を備え、ＰＣａ板１の直交方向のせん断応力の伝達や曲げ応力の伝達が円滑に行われるようになっている。
【００１６】
したがって、従来のように、ＰＣａ板１７の接合部に重なり合うようにして配筋されたトラス筋１８を省くことができるので、非常に経済的になり、かつＰＣａ板１も低価格で製造することができる。
【図面の簡単な説明】
【００１７】
【図１】ＰＣａ板であり、（１）は断面図、（２）は平面図である。
【図２】軽量埋込材ユニットであり、（１）は平面図、（２）は断面図、（３）は底面図である。
【図３】（１）は本願発明の中空スラブの平面図、（２）は従来の中空スラブの平面図である。
【図４】従来のＰＣａ板であり、（１）は断面図、（２）は平面図である。
【符号の説明】
【００１８】
１、１７  ＰＣａ板
２、１８  トラス筋
３、２１  コンクリート板
４、５、１９  軽量埋込材ユニット
６  上端筋
７  下端筋
８  ラチス筋
９  コンクリート板端部
１０  配筋用間隙部
１１  埋込材本体
１２  連結部
１３  埋設突起
１４  トップコンクリート
１５  中空スラブ
１６  補強筋
２０  間隔
【図１】
2006138166.tif 000003
【図２】
2006138166.tif 000004
【図３】
2006138166.tif 000005
【図４】
2006138166.tif 000006